(57)【要約】【課題】掃除機本体を構成している電動送風機、コードリール、集塵部の重心を通る各々の中心線を掃除機本体の長手方向の略中心線上に配設させることで、使い勝手の良い縦型電気掃除機を提供する。【解決手段】下方に電動送風機１１を内蔵し、この電動送風機１１上方にはコードリール１５が配置され、このコードリール１５上方に電動送風機１１に連通する集塵部１６を有し、本体の上部後方には、操作用で延長管１８を兼ね備えた操作ハンドル１９が設けられた掃除機本体１０において、掃除機本体１０を立てた時に電動送風機１１、前記コードリール１５、前記集塵部１６が、掃除機本体１０の略中心線１３上に配置させた構成としたことで、掃除機本体の安定性及び、持ち運び時のハンドル並びに取っ手部の使用性の向上が図れる。【選択図】図４
2013111228.tif 000002
【特許請求の範囲】
【請求項１】
被掃除面上の塵埃を吸引する吸込具と、前記吸込具に回動自在に設けられた掃除機本体と、前記掃除機本体の下方に内蔵された電動送風機と、前記電動送風機の上方に配置され、前記吸込具と前記電動送風機とに連通する集塵部と、前記掃除機本体の上部後方に配置され前記掃除機本体の操作と延長管を兼ね備えた操作ハンドルと、を備え、
前記掃除機本体を立てた時に、前記電動送風機ならびに前記集塵部の重心を通る各々の中心線が、前記掃除機本体の長手方向の略中心線上と合致するように配置されたことを特徴とする縦型電気掃除機。
【請求項２】
前記電動送風機の上方にはコードリールを備え、前記コードリール上方に前記集塵部を配置し、前記掃除機本体を立てた時に、前記電動送風機、前記コードリールならびに前記集塵部の重心を通る各々の中心線が、前記掃除機本体の長手方向の略中心線上と合致するように配置させた請求項１に記載の縦型電気掃除機。
【請求項３】
前記操作ハンドルに把手部を備え、前記把手部を前記掃除機本体の長手方向の略中心線上に配置させた請求項１または２に記載の縦型電気掃除機。
【請求項４】
掃除機本体の上方に運搬可能な取っ手部を備え、前記取っ手部を、前記掃除機本体の長手方向の略中心線上に配置させた請求項１〜３のいずれか１項に記載の縦型電気掃除機。
【請求項５】
前記掃除機本体を立てた状態において、前記吸込具の中央部が、前記掃除機本体の長手方向の略中心線上に配置させた請求項１〜４のいずれか１項に記載の縦型電気掃除機。
【発明の詳細な説明】
【技術分野】
【０００１】
本発明は、掃除機本体の運搬可能な操作ハンドル及び取っ手部に関するもので、持ち運び時の使用性及び、安定性の向上ができる縦型電気掃除機に関するものである。
【背景技術】
【０００２】
従来のこの種の縦型電気掃除機は，特許文献１参照に記載されているようなものが一般的であった。この縦型電気掃除機を図５を用いて説明する。
【０００３】
従来の縦型電気掃除機において、掃除機本体部１の下方には、電動送風機２、上方に集塵部３、前記集塵部３の上方にはコードリール４が配設されている。
【０００４】
また、掃除機本体１の下方には、この掃除機本体１と着脱自在に連結された吸込具６が接続されている。掃除機本体部１の前部上方に内部に吸気通路が形成されたハンドル部７を具備し、ハンドル部７の上端には、持ち手８を備えている構成が一般的であった。
【先行技術文献】
【特許文献】
【０００５】
【特許文献１】特開２００４−３５７８３９号公報
【発明の概要】
【発明が解決しようとする課題】
【０００６】
しかしながら、上記のような電気掃除機の構成では、重量物である電動送風機２、集塵部３及びコードリール４が掃除機本体の中心より片寄りに設けられているため、バランスが悪く不安定になってしまい、保管時に倒れやすくなってしまうという問題があった。
【０００７】
また、重量バランスが悪いということは、使用者が掃除機本体１の持ち運び時、重く操作し辛いと感じてしまうという問題があった。
【０００８】
本発明は上記従来の課題を解決するものであって、本体を持ち上げ運搬時、及び、操作移動させる場合においても、重心バランスを片寄らせず、使用者への負担を軽減した使用性の高い縦型電気掃除機を提供することを目的とする。
【課題を解決するための手段】
【０００９】
上記従来の課題を解決するために、本発明は、被掃除面上の塵埃を吸引する吸込具と、前記吸込具に回動自在に設けられた掃除機本体と、前記掃除機本体の下方に内蔵された電動送風機と、前記電動送風機の上方に配置され、前記吸込具と前記電動送風機とに連通する集塵部と、前記掃除機本体の上部後方に配置され前記掃除機本体の操作と延長管を兼ね備えた操作ハンドルと、を備え、前記掃除機本体を立てた時に、前記電動送風機ならびに前記集塵部の重心を通る各々の中心線が、前記掃除機本体の長手方向の略中心線上と合致するように配置し、かつ前記掃除機本体の運搬可能な操作ハンドルの把手部または取っ手部を、前記掃除機本体の長手方向の略中心線上に配置することより、重量物である電動送風機、集塵部及びコードリールの重心が、掃除機本体中心から片寄った重心にならず、使用者が、本体を持ち上げ運搬する際、また、操作をする際、使用者の手首の負担を軽減させ、且つ、掃除機本体の安定性の向上を図ることが可能となる。
【発明の効果】
【００１０】
本発明は、重量物である電動送風機、集塵部及びコードリールの重心位置を、掃除機本
体の長手方向の略中心線上と合致するように配置し、かつ運搬可能な操作ハンドルの把手部または取っ手部を、前記掃除機本体の略中心線上に配設させることで、廉価な構成で、安定性及び、持ち運び時の使用性を向上させ使い勝手の良い縦型電気掃除機を提供するものである。
【図面の簡単な説明】
【００１１】
【図１】本発明の実施の形態における縦型電気掃除機の全体斜視図
【図２】同縦型電気掃除機を後面から見た全体斜視図
【図３】同縦型電気掃除機を正面から見た正面図
【図４】同縦型電気掃除機を長手中心方向に切断した断面図
【図５】従来の縦型電気掃除機を長手中心方向に切断した断面図
【発明を実施するための形態】
【００１２】
第１の発明は、被掃除面上の塵埃を吸引する吸込具と、前記吸込具に回動自在に設けられた掃除機本体と、前記掃除機本体の下方に内蔵された電動送風機と、前記電動送風機の上方に配置され、前記吸込具と前記電動送風機とに連通する集塵部と、前記掃除機本体の上部後方に配置され前記掃除機本体の操作と延長管を兼ね備えた操作ハンドルと、を備え、
前記掃除機本体を立てた時に、前記電動送風機ならびに前記集塵部の重心を通る各々の中心線が、前記掃除機本体の長手方向の略中心線上と合致するように配置されたものである。
その結果、電動送風機と集塵部の重心が、掃除機本体中心から片寄った重心にならず、掃除機本体の重心バランスがよくなり、掃除機本体の安定性が向上する。
【００１３】
第２の発明は、前記電動送風機の上方にはコードリールを備え、前記コードリール上方に前記集塵部を配置し、前記掃除機本体を立てた時に、前記電動送風機、前記コードリールならびに前記集塵部の重心を通る各々の中心線が、前記掃除機本体の長手方向の略中心線上と合致するように配置させたものである。
その結果、電動送風機と集塵部およびコードリールの重心が、掃除機本体中心から片寄った重心にならず、掃除機本体の重心バランスがさらによくなり、掃除機本体の安定性が向上する。
【００１４】
第３の発明は、前記操作ハンドルに把手部を備え、前記把手部を前記掃除機本体の長手方向の略中心線上に配置させたものである。
その結果、使用者が、把手部を持ち掃除機本体を操作する時に、片寄りがなくなり、重心バランスがよく、手首に負担がかかりにくくなり、使い勝手が良くなる。
【００１５】
第４の発明は、掃除機本体の上方に運搬可能な取っ手部を備え、前記取っ手部を、前記掃除機本体の長手方向の略中心線上に配置させたものである。
その結果、使用者が、取っ手部を持ち掃除機本体を運搬する時に、片寄りがなくなり、重心バランスがよく、手首に負担がかかりにくくなり、使い勝手が良くなる。
【００１６】
第５の発明は、前記掃除機本体を立てた状態において、前記吸込具の中央部を、前記掃除機本体の長手方向の略中心線上に配置させたものである。
その結果、掃除機本体全体の重心が、吸込具の掃除機本体に対して回動する回転軸よりも、掃除機本体の前方よりに集中し、かつ吸込具の中央部に集中するため、掃除機本体を立てた状態における重心バランスがよく、掃除機本体を起立状態にして保管する際の安定性が向上する。
【００１７】
（実施の形態１）
本発明の第１の実施の形態における縦型電気掃除機について、図１〜図４を用いて説明する。
【００１８】
図１は、本実施の形態における縦型電気掃除機の全体斜視図、図２は、同縦型電気掃除機の後面から見た全体斜視図、図３は、同縦型電気掃除機の正面から見た正面図、図４は、同縦型電気掃除機を長手中心方向に切断した断面図である。
【００１９】
図１〜図４において、掃除機本体１０の下方に設けた電動送風機室１２内には、電動送風機１１が、長手方向である回転軸を掃除機本体１０の長手方向の略中心線１３上と合致するように配置されている。
【００２０】
また、この電動送風機室１２の上方中央には、電源供給用のコード１４（図示せず）が収容されるコードリール１５が、掃除機本体１０に対し水平方向に備えられ、このコードリール１５の中心軸方向が、掃除機本体１０の長手方向の略中心線１３上と合致するように配置されている。
【００２１】
また、このコードリール１５の上方中央には、サイクロン塵埃分離部１６ａを有し塵埃を捕集する集塵部１６が、略円筒形状の長手方向である略円筒の中心軸を掃除機本体１０の長手方向の略中心線１３上と合致するように配置されている。
【００２２】
掃除機本体１０上端には運搬用の取っ手部１７が設けられ、掃除機本体１０上部後方には、操作用でかつ、内部に吸気通路が形成されて延長管１８を兼ね備えた操作用の操作ハンドル１９が配設されている。
【００２３】
掃除機本体１０の下方には上下、左右に首振り回動可能に取り付けられた吸込具２０を具備し、掃除機本体１０の背面にはホース２１を有し、ホース２１の他端は、操作ハンドル１９と連結されている。吸込具２０の吸込み口２２から吸引された塵埃は、吸気通路２３通り、集塵部１６へと流れる。
【００２４】
また、図４において、延長管１８には、取付凹部２４が形成され、延長管１８を掃除機本体１０の接続開口２５に差し込んだ時、ハンドルレバー２６の係合突出部２７が、延長管１８に形成された取付凹部２４に係合されるロック機構となっている。このロック機構により係合突出部２７が上記取付凹部２４にロックされて、延長管１８を掃除機本体１０に保持される。
【００２５】
また、ハンドルレバー２６のロックの解除は、掃除機本体１０の上面に設けた解除レバー２８を押すことにより行われる構成となっている。
上記構成より、掃除機本体１０を構成している重量物である、電動送風機１１、コードリール１５及び、集塵部１６が、掃除機本体１０の長手方向の略中心線１３上と合致するように配置されている為、重心バランスがよくなり掃除機本体１０のスタンド状態での安定性が向上し転倒しにくくなる。
【００２６】
また、図１、図４に示すように、延長管１８を兼ね備えた操作ハンドル１９の端部に設けた把手部２９も、掃除機本体１０の長手方向の略中心線１３上と合致するように配置されていることから、掃除機本体１０を操作する際、重心が片寄らず、使用者の手首にかかる負担を軽減させ使用性を高めることが可能となる。
【００２７】
また、図１、図４に示すように、掃除機本体１０上端に形成された運搬用の取っ手部１７のグリップ部３０も、掃除機本体１０の長手方向の略中心線１３上と合致するように配置されていることから、掃除機本体１０を持ち上げて運ぶ際、重心が片寄らず、使用者の
手首にかかる負担を軽減させ使用性を高めることが可能となる。
【００２８】
また、図３、図４に示すように、掃除機本体１０を立てた状態において、吸込具２０の中央部を、掃除機本体１０の長手方向の略中心線１３上に配置させたことにより、掃除機本体を立てた状態における重心バランスがよく、掃除機本体１０の起立状態の安定性が向上するものである。
【００２９】
さらに、吸込具の掃除機本体に対して回動する回転軸には、掃除機本体１０を傾動させて動作させる時以外は、回動を規制する係止部（図示せず）が設けられ、掃除機本体１０を運搬する際に持ち上げた際に、係止部が作用し、吸込具が下向きに回動しない様にしてあるので、掃除機本体１０の長手方向の略中心線１３上である掃除機本体１０の重心全体が作用する略鉛直方向と、吸込具２０の中央部を通る重心の方向が略同一線上で合致するため、その結果、使用者が、取っ手部を持ち掃除機本体を運搬する時に、片寄りがなくなり、重心バランスがよく、手首に負担がかかりにくくなり、使い勝手が良くなる。
【００３０】
尚、上述の実施の形態１では、掃除機本体１０内部にコードリール１５を備えている場合について説明をしたが、縦型電気掃除機の形態によっては、コードリール１５を備えておらず、長い電源コードを直接掃除機本体１０に接続させている形態もあり、この場合、コードリール１５が無い分、電動送風機室１２の上方中央には、塵埃を捕集する集塵部１６が、略円筒形状の長手方向である略円筒の中心軸を掃除機本体１０の長手方向の略中心線１３上と合致するように配置される構成となる。
【００３１】
この様な構成においても、掃除機本体１０を立てた時に、重量部品の電動送風機１１ならびに集塵部１６の重心を通る各々の中心線が、掃除機本体１０の長手方向の略中心線１３上と合致して配置されていて、かつ、操作ハンドル１９の把手部２９ならびに運搬用の取っ手部１７も掃除機本体１０の長手方向の略中心線１３上と合致して配置されることで、上述したコードリール１５を有した構成と同様の効果である、「掃除機本体の重心バランスがよく、掃除機本体の安定性が向上する。また、使用者が、掃除機本体を運搬する時に、片寄りがなくなり、重心バランスがよく、手首に負担がかかりにくくなり、使い勝手が良くなる。」といった効果も発揮できるものである。
【産業上の利用可能性】
【００３２】
以上のように、本発明は、掃除機本体の運搬可能な操作ハンドル及び、取っ手部に関するもので、持ち運び時の使い勝手及び、使用性の向上を実現できる縦型電気掃除機に適用できる。
【符号の説明】
【００３３】
１０  掃除機本体
１１  電動送風機
１３  長手方向の略中心線
１５  コードリール
１６  集塵部
１７  取っ手部
１８  延長管
１９  操作ハンドル
２０  吸込具
２９  把手部
【図１】
2013111228.tif 000003
【図２】
2013111228.tif 000004
【図３】
2013111228.tif 000005
【図４】
2013111228.tif 000006
【図５】
2013111228.tif 000007